(57)【要約】【課題】  装飾性に富み、かつ、コストが低廉な螺子装置を提供することである。【解決手段】  第１の螺子部と、  前記第１の螺子部が設けられた軸体と、  前記軸体の上端部に設けられた第２の螺子部と、  前記軸体の上端部に設けられた割溝部と、  前記第２の螺子部に螺合する第３の螺子部を有する頭部とを具備してなり、  前記頭部には装飾が施されてなることを特徴とする螺子装置。【選択図】  図１
2008115916.tif 000002
【特許請求の範囲】
【請求項１】
第１の螺子部と、
前記第１の螺子部が設けられた軸体と、
前記軸体の上端部に設けられた第２の螺子部と、
前記軸体の上端部に設けられた割溝部と、
前記第２の螺子部に螺合する第３の螺子部を有する頭部
とを具備してなり、
前記頭部には装飾が施されてなる
ことを特徴とする螺子装置。
【請求項２】
第１の螺子部は、軸体の外周囲に形成された雄螺子型および軸体に設けられた中心穴の内周囲に形成された雌螺子型の中から選ばれるものである
ことを特徴とする請求項１の螺子装置。
【請求項３】
軸体の上端部に設けられた第２の螺子部は、軸体の上端面から穿たれた穴の内周囲に形成された雌螺子型のものであり、
第３の螺子部は、軸体の外周囲に形成された雄螺子型のものである
ことを特徴とする請求項１又は請求項２の螺子装置。
【請求項４】
螺子挿通孔が形成された第１の鋏半体と、螺子挿通孔が形成された第２の鋏半体と、前記第１の鋏半体の螺子挿通孔および前記第２の鋏半体の螺子挿通孔に挿通された螺子装置とを具備してなる鋏であって、
前記螺子装置が請求項１〜請求項３いずれかの螺子装置である
ことを特徴とする鋏。
【発明の詳細な説明】
【技術分野】
【０００１】
本発明は、例えば美・理容用の鋏に関する。
【背景技術】
【０００２】
従来より、各種の鋏が提案されている。例えば、図３に示される構造の鋏が提案されている。図３中、２１は鋏、２２は第１の鋏半体、２３は第２の鋏半体、２４は第１の鋏半体２２と第２の鋏半体２３とを螺着する螺子（雄螺子と雌螺子（ナット）：螺子装置）である。
【特許文献１】特開２０００−２７９６５４号公報
【特許文献２】特開２００３−３２０１８０号公報
【特許文献３】特開２００４−４９３４９号公報
【特許文献４】特開２００４−１５４３０３号公報
【発明の開示】
【発明が解決しようとする課題】
【０００３】
さて、これまでの鋏は装飾性が乏しい。それは、例えば美・理容用の鋏自体は髪のカットが第１の目的であり、装飾を施す余地が少ないからである。
【０００４】
そこで、本発明者は、鋏半体同士を結合する螺子に着目した。特に、螺子の頭に着目した。例えば、螺子の頭部に模造宝石を取り付けたならば、この鋏はワンポイント装飾が施されたものとなって、そのファッション性が高いものになると考えた。
【０００５】
しかしながら、単に、径の大きな頭部に模造宝石を取り付けた雄螺子と雌螺子（ナット）とを用いて鋏半体同士を結合しようとすると、それは、非常にやり難いものであった。それは、鋏半体同士の結合に際しては、螺子が、強固に取り付けられなければならないからである。通常、螺子は、雌螺子（ナット）に雄螺子を捩じ込み、雄螺子の頭に形成された割溝にドライバを差し込み、ドライバを回すことによって雄螺子を回動し、以って、強く締め付けている。
【０００６】
ところが、雄螺子の頭に模造宝石などによる装飾を施していると、上記割溝が非常に邪魔なものとなる。場合によっては、割溝を形成すら出来ない。
【０００７】
従って、単に、頭部に模造宝石などによる装飾を施した雄螺子は机上のものに過ぎないことが判って来た。
【０００８】
よって、本発明が解決しようとする課題は、装飾性に富み、かつ、コストが低廉な螺子装置を提供することである。
【課題を解決するための手段】
【０００９】
前記の課題は、
第１の螺子部と、
前記第１の螺子部が設けられた軸体と、
前記軸体の上端部に設けられた第２の螺子部と、
前記軸体の上端部に設けられた割溝部と、
前記第２の螺子部に螺合する第３の螺子部を有する頭部
とを具備してなり、
前記頭部には装飾が施されてなる
ことを特徴とする螺子装置によって解決される。
【００１０】
特に、第１の螺子部と、
前記第１の螺子部が設けられた軸体と、
前記軸体の上端部に設けられた第２の螺子部と、
前記軸体の上端部に設けられた割溝部と、
前記第２の螺子部に螺合する第３の螺子部を有する頭部
とを具備してなり、
第１の螺子部は、軸体の外周囲に形成された雄螺子型および軸体に設けられた中心穴の内周囲に形成された雌螺子型の中から選ばれるものであり、
前記頭部には装飾が施されてなる
ことを特徴とする螺子装置によって解決される。
【００１１】
又、上記の螺子装置であって、
軸体の上端部に設けられた第２の螺子部は、軸体の上端面から穿たれた穴の内周囲に形成された雌螺子型のものであり、
第３の螺子部は、軸体の外周囲に形成された雄螺子型のものである
ことを特徴とする螺子装置によって解決される。
【００１２】
更には、螺子挿通孔が形成された第１の鋏半体と、螺子挿通孔が形成された第２の鋏半体と、前記第１の鋏半体の螺子挿通孔および前記第２の鋏半体の螺子挿通孔に挿通された螺子装置とを具備してなる鋏であって、
前記螺子装置が上記の螺子装置である
ことを特徴とする鋏によって解決される。
【００１３】
尚、上記装飾構造は、例えば頭部頂面に凹部を形成し、該凹部に装飾材を嵌め込むことによって簡単に実施できる。
【発明の効果】
【００１４】
本発明によれば、装飾性に富んだものが得られる。しかも、単に、装飾性に富むばかりでは無く、螺子本来の目的、締着性をも十分に発揮できる。例えば、鋏半体同士の締着（結合）に用いた場合、鋏半体同士の締着の調整が簡単であり、そして強固な締着（結合）も出来、更には鋏の装飾性に優れたものになる。
【発明を実施するための最良の形態】
【００１５】
本発明の螺子装置は、第１の螺子部（螺子溝）を具備する。又、第１の螺子部が設けられた軸体を具備する。又、軸体の上端部に設けられた第２の螺子部（螺子穴）を具備する。又、軸体の上端部に設けられた割溝部を具備する。又、第２の螺子部に螺合する第３の螺子部（螺子溝）を有する頭部を具備する。そして、頭部には装飾が施されている。第１の螺子部は、例えば軸体の外周囲に形成された雄螺子型のものである。或いは、軸体に設けられた中心穴の内周囲に形成された雌螺子型（螺子穴）のものである。そして、第２の螺子溝部は、軸体の上端面から穿たれた穴の内周囲に形成された雌螺子型（螺子穴）のものであり、第３の螺子溝部は、軸体の外側周囲に形成された雄螺子型のものである。
【００１６】
本発明の鋏は、螺子挿通孔が形成された第１の鋏半体と、螺子挿通孔が形成された第２の鋏半体と、前記第１の鋏半体の螺子挿通孔および前記第２の鋏半体の螺子挿通孔に挿通された螺子装置とを具備してなる鋏である。そして、螺子装置が上記の螺子装置である。
【００１７】
以下、本発明について更に詳しく説明する。
図１（ａ），（ｂ），（ｃ），（ｄ），（ｅ）は本発明になる螺子装置の要部（雄螺子）を示すもので、図１（ａ）は雄螺子体部の平面図、図１（ｂ）は雄螺子体部の側面図、図１（ｃ）は雄螺子体部の底面図、図１（ｄ）は図１（ａ），（ｂ），（ｃ）に示される雄螺子体部に螺合（螺着）される装飾体部の平面図、図１（ｅ）は図１（ａ），（ｂ），（ｃ）に示される雄螺子体部に螺合（螺着）される装飾体部の側面図であり、図２は雄螺子体部に装飾体部が螺合（螺着）された螺子装置の側面図である。
【００１８】
本発明の螺子装置（雄螺子）は、鋏の半体（動刃体：リングに親指が入れられる側の鋏半体）と鋏の半体（静刃体：リングに親指以外の指が入れられる側の鋏半体）とを締着（結合）する為に用いられる。すなわち、図３に示される従来の鋏における螺子と同様にして用いられる。
【００１９】
各図中、Ａは雄螺子体部である。この雄螺子体部Ａは、下方側に円柱状の軸部１を有する。この軸部１の外周囲には螺子溝２が切られている。従って、この螺子部は雄螺子型のものである。そして、軸部１の軸芯方向において、例えば＋（×）状の割溝３が形成されている。
【００２０】
４は、軸部１の端部（上部）に設けられた大径の頭部である。この頭部４には、その上端面から下側に向かって、その中心位置に穴５が穿たれている。そして、穴５の内周壁面には螺子溝６が切られている。従って、この螺子部は雌螺子型のものであって、螺子穴が形成されているのである。
【００２１】
７は、大径の頭部４の上端面（頂面）に形成された割溝である。この割溝７は、例えば−状のものであるが、＋状のものであっても良い。
【００２２】
Ｂは、雄螺子体部Ａの螺子穴（螺子溝６）に螺合させることで一体的なものとなる装飾体部である。この装飾体部Ｂは、円柱状の軸部１１と、軸部１１の端部（上部）に設けられた大径の頭部１２とを有する。
【００２３】
そして、軸部１１の外周囲には、雄螺子体部Ａの螺子溝６に螺合する螺子溝１３が切られている。そして、頭部１２の側面には軸部１１の軸芯方向に沿ったローレット１４が設けられている。更に、頭部１２の上端面（頂面）には凹部１５が形成されており、この凹部１５に、例えば模造宝石１６が嵌め込まれている。
【００２４】
さて、上記のように構成させた雄螺子体部Ａと、図示しない雌螺子（ナット）とを用いることによって、図３に示される如く、先ずは、鋏半体と鋏半体とが締着（結合）される。この段階では、装飾体部Ｂが雄螺子体部Ａに螺合されていないから、これまでと同様にして行なえる。
【００２５】
そして、半体同士の締着（結合）・調整が終わった後、装飾体部Ｂの軸部１１の螺子溝１３を雄螺子体部Ａの螺子穴（螺子溝６）に合わせる（螺合する）ことによって、装飾体部Ｂが雄螺子体部Ａに取り付けられるものとなる。尚、この取付作業に際しては、装飾体部Ｂは雄螺子体部Ａに極めて強固に締め付ける必要が無いから、頭部１２に形成されたローレット１４を利用することで簡単に取り付けられる。
【００２６】
尚、模造宝石１６が異なる装飾体部Ｂを幾つも用意しておけば、気分に応じて交換することが出来、その結果、幾つもの鋏を持っているかの如くになり、かつ、ファッション性に富むことから、例えば女性が対象の美容室向けの鋏として非常に好都合である。
【００２７】
又、上記実施形態では、Ａが雄螺子体部のもので説明したが、これは雌螺子型のものでも適用できる。例えば、軸部１の先端（下端）面に螺子穴を形成したものであっても良い。この場合には前記螺子穴（ナット）に螺合する螺子（雄螺子）が用いられることになる。
【００２８】
又、上記実施形態では、軸部１の端部（上部）に設けられた大径の頭部４に螺子穴（螺子溝６）が設けられたもので説明された。基本的には、上記実施形態の如く、螺子穴であろうが、頭部に軸を立設し、この軸の外周囲に螺子溝を設けると共に、軸に割溝を設けるようにしても良い。そして、このような場合にあっては、装飾体部Ｂは、軸部１１には螺子穴が形成されるようになる。
【図面の簡単な説明】
【００２９】
【図１】本発明になる螺子装置の要部説明図
【図２】本発明になる螺子装置の要部説明図
【図３】鋏の説明図
【符号の説明】
【００３０】
Ａ        雄螺子体部
１        円柱状軸部（軸体）
２        螺子溝（第１の螺子部）
４        大径頭部
５        穴
６        螺子溝（第２の螺子部）
７        割溝
Ｂ        装飾体部
１１      円柱状軸部
１２      大径頭部（頭部）
１４      ローレット
１５      凹部
１６      模造宝石（装飾部）
代  理  人  宇  高    克  己
【図１】
2008115916.tif 000003
【図２】
2008115916.tif 000004
【図３】
2008115916.tif 000005